【手続補正書】
【提出日】平成17年5月25日(2005.5.25)
【手続補正１】
【補正対象書類名】明細書
【補正対象項目名】発明の名称
【補正方法】変更
【補正の内容】
【発明の名称】現像装置及びプロセスカートリッジ及び画像形成装置
【手続補正２】
【補正対象書類名】明細書
【補正対象項目名】特許請求の範囲
【補正方法】変更
【補正の内容】
【特許請求の範囲】
【請求項１】
画像形成装置本体に用いられる現像装置において、
電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において前記現像装置の一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において前記現像装置の他端側に設けられた規制部に前記現像ローラを当接させて、前記現像ローラの前記軸線方向における位置決めを行うことを特徴とする現像装置。
【請求項２】
前記現像ローラは、弾性体のローラ部を有することを特徴とする請求項１に記載の現像装置。
【請求項３】
前記弾性体のローラ部は、ソリッドゴムからなることを特徴とする請求項２に記載の現像装置。
【請求項４】
前記現像ローラは芯金部を有し、前記付勢手段は前記芯金部に当接していることを特徴とする請求項１乃至３のいずれかに記載の現像装置。
【請求項５】
前記付勢手段は、
バネと、
前記バネの一端に設けられた、前記芯金部と摺動する摺動部材と、
を有することを特徴とする請求項４に記載の現像装置。
【請求項６】
更に、前記現像装置は、
前記軸線方向において前記現像装置の他端側に設けられた、前記現像ローラに前記画像形成装置本体から現像バイアスを供給する電気接点であって、前記現像ローラを前記軸線方向に付勢して接触する電気接点を有し、
前記付勢手段が前記現像ローラを付勢する付勢力は、前記電気接点が前記現像ローラを付勢する付勢力より大きいことを特徴とする請求項１に記載の現像装置。
【請求項７】
前記付勢手段の付勢力は、前記現像ローラの自重の２倍以上の力であることを特徴とする請求項１又は６に記載の現像装置。
【請求項８】
更に、前記現像装置は、
前記現像ローラを支持する枠体と、
前記現像ローラの軸線方向において前記枠体の外側に設けられたサイドカバーと、を有し、
前記付勢手段は、前記サイドカバーに設けられていることを特徴とする請求項１に記載の現像装置。
【請求項９】
前記枠体は、前記軸線方向において前記現像ローラが当接して前記現像ローラの位置を規制するスラスト規制部を有することを特徴とする請求項８に記載の現像装置。
【請求項１０】
画像形成装置本体に着脱可能なプロセスカートリッジにおいて、
電子写真感光体と、
前記電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において前記プロセスカートリッジの一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において前記枠体の他端側に設けられた規制部に前記現像ローラを当接させて、前記現像ローラの前記軸線方向における位置決めを行うことを特徴とするプロセスカートリッジ。
【請求項１１】
前記現像ローラは、弾性体のローラ部を有することを特徴とする請求項１０に記載のプロセスカートリッジ。
【請求項１２】
前記弾性体のローラ部は、ソリッドゴムからなることを特徴とする請求項１１に記載のプロセスカートリッジ。
【請求項１３】
前記現像ローラは芯金部を有し、前記付勢手段は前記芯金部に当接していることを特徴とする請求項１０乃至１２のいずれかに記載のプロセスカートリッジ。
【請求項１４】
前記付勢手段は、
バネと、
前記バネの一端に設けられた、前記芯金部と摺動する摺動部材と、
を有することを特徴とする請求項１３に記載のプロセスカートリッジ。
【請求項１５】
更に、前記プロセスカートリッジは、
前記軸線方向において、前記プロセスカートリッジの他端側に設けられた、前記現像ローラに前記画像形成装置本体から現像バイアスを供給する電気接点であって、前記現像ローラを前記軸線方向に付勢して接触する電気接点を有し、
前記付勢手段が前記現像ローラを付勢する付勢力は、前記電気接点が前記現像ローラを付勢する付勢力より大きいことを特徴とする請求項１０に記載のプロセスカートリッジ。
【請求項１６】
前記付勢手段の付勢力は、前記現像ローラの自重の２倍以上の力であることを特徴とする請求項１０又は１５に記載のプロセスカートリッジ。
【請求項１７】
更に、前記プロセスカートリッジは、
前記現像ローラを支持する枠体と、
前記現像ローラの軸線方向において前記枠体の外側に設けられたサイドカバーと、を有し、
前記付勢手段は、前記サイドカバーに設けられていることを特徴とする請求項１０に記載のプロセスカートリッジ。
【請求項１８】
前記枠体は、前記軸線方向において前記現像ローラが当接して前記現像ローラの位置を規制するスラスト規制部を有することを特徴とする請求項１７に記載のプロセスカートリッジ。
【請求項１９】
記録媒体に画像を形成する画像形成装置において、
（ｉ）電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において他端側に設けられた規制部に前記現像ローラを当接させて、前記現像ローラの前記軸線方向における位置決めを行う現像装置と、
（ｉｉ）前記記録媒体を搬送するための搬送手段と、
を有することを特徴とする画像形成装置。
【請求項２０】
プロセスカートリッジを着脱可能で、記録媒体に画像を形成する画像形成装置において、
（ｉ）装着部と、
（ｉｉ）前記装着部に取り外し可能に装着されるプロセスカートリッジであって、
電子写真感光体と、
前記電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において前記プロセスカートリッジの一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において前記プロセスカートリッジの他端側に設けられた規制部に前記現像ローラを当接させて、前記現像ローラの前記軸線方向における位置決めを行うプロセスカートリッジと、
（ｉｉｉ）前記記録媒体を搬送するための搬送手段と、
を有することを特徴とする画像形成装置。
【手続補正３】
【補正対象書類名】明細書
【補正対象項目名】００１３
【補正方法】変更
【補正の内容】
【００１３】
【課題を解決するための手段】
上記目的を達成するために本発明の現像装置にあっては、
画像形成装置本体に用いられる現像装置において、
電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において前記現像装置の一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において前記現像装置の他端側に設けられた規制部に前記現像ローラを当接させて、前記現像ローラの前記軸線方向における位置決めを行うことを特徴とする。
【手続補正４】
【補正対象書類名】明細書
【補正対象項目名】００１４
【補正方法】変更
【補正の内容】
【００１４】
また、本発明のプロセスカートリッジにあっては、
画像形成装置本体に着脱可能なプロセスカートリッジにおいて、
電子写真感光体と、
前記電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において前記プロセスカートリッジの一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において前記枠体の他端側に設けられた規制部に前記現像ローラを当接させて、前記現像ローラの前記軸線方向における位置決めを行うことを特徴とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、本発明の画像形成装置にあっては、
記録媒体に画像を形成する画像形成装置において、
（ｉ）電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において他端側に設けられた規制部に前記現像ローラを当接させて、前記現像ローラの前記軸線方向における位置決めを行う現像装置と、
（ｉｉ）前記記録媒体を搬送するための搬送手段と、
を有することを特徴とする。
【手続補正７】
【補正対象書類名】明細書
【補正対象項目名】００１７
【補正方法】変更
【補正の内容】
【００１７】
また、本発明の他の画像形成装置にあっては、
プロセスカートリッジを着脱可能で、記録媒体に画像を形成する画像形成装置において、
（ｉ）装着部と、
（ｉｉ）前記装着部に取り外し可能に装着されるプロセスカートリッジであって、
電子写真感光体と、
前記電子写真感光体に形成された潜像を現像する現像ローラと、
前記現像ローラに担持されるトナーの厚さを規制する現像ブレードであって、前記現像ローラに接触して設けられた現像ブレードと、
前記現像ローラの軸線方向の一端側に設けられた、前記現像ローラに駆動を伝達するためのハス歯ギアと、
前記軸線方向において前記プロセスカートリッジの一端側に設けられた付勢手段であって、前記現像ローラに駆動が伝達された際に、前記ハス歯ギアに生じるスラスト力によって前記現像ローラが移動する方向と同じ方向に前記現像ローラを付勢する付勢手段と、
を有し、
前記付勢手段は、前記軸線方向において前記プロセスカートリッジの他端側に設けられた規制部に前記現像ローラを当接させて、前記現像ローラの前記軸線方向における位置決めを行うプロセスカートリッジと、
（ｉｉｉ）前記記録媒体を搬送するための搬送手段と、
を有することを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】０１０６
【補正方法】変更
【補正の内容】
【０１０６】
【発明の効果】
以上、説明したように、本発明によれば、輸送時に振動が現像ローラにかかっても、現像ローラのスラスト方向の位置を一定に保つことができる。よって、輸送時の現像ローラの移動による画像へ及ぼす影響を防ぐことができる。
【手続補正１７】
【補正対象書類名】明細書
【補正対象項目名】０１０７
【補正方法】削除
【補正の内容】